(57)【要約】      （修正有）【課題】設備の簡素化等を図りつつ、分離時にガラス板を保持していた支持手段がその保持を解除した時点から、迅速にその支持手段がガラスリボンに向かって移動できるようにし、ガラス成形速度の高速化ひいては生産性の向上を図る。【解決手段】連続して下降するガラスリボン２に分離線を刻設するスクライバ（刻設手段）３と、ガラスリボン２から分離線を境界としてガラス板２ａを分離する分離手段４と、分離手段４の構成要素である支持手段９から受け渡されたガラス板２ａを保持してガラスリボン２から離れた位置に搬出する搬送手段５とを備えたガラス板の製造装置１において、支持手段９を、ガラス板２ａの幅方向の一端部側と他端部側とにそれぞれ別々に配設する。【選択図】図１
2005162604.tif 000002
【特許請求の範囲】
【請求項１】
連続して下降するガラスリボンに分離線を刻設する刻設工程と、該刻設工程で分離線を刻設した後に前記ガラスリボンから前記分離線を境界としてガラス板を分離する分離工程とを含むガラス板の製造方法において、
前記分離工程でガラス板を分離する際に、該ガラス板の幅方向両端部が、その一端部側と他端部側とに別々に配設された支持手段により保持されることを特徴とするガラス板の製造方法。
【請求項２】
前記分離工程でガラス板を分離した後に該ガラス板を前記支持手段から搬送手段に受け渡し且つ該搬送手段により保持させた状態で前記ガラスリボンから離れた位置に搬出する搬出工程を更に含み、該搬出工程において、前記受け渡しが行われた直後に、前記搬送手段に保持されたガラス板の幅方向一端部側及び他端部側にそれぞれ存する経路に沿って前記支持手段が退避状態でガラス板を回避してガラスリボンに向かって移動することを特徴とする請求項１に記載のガラス板の製造方法。
【請求項３】
前記搬出工程において、前記支持手段がガラスリボンに向かって直進移動することを特徴とする請求項２に記載のガラス板の製造方法。
【請求項４】
前記搬出工程において、前記支持手段または搬送手段がガラス板を反転移動させないことを特徴とする請求項２または３に記載のガラス板の製造方法。
【請求項５】
前記分離工程及び搬出工程において、前記支持手段及び搬送手段がガラス板の有効面を除外した部位のみに接触することを特徴とする請求項２〜４の何れかに記載のガラス板の製造方法。
【請求項６】
連続して下降するガラスリボンに分離線を刻設する刻設手段と、前記ガラスリボンから前記分離線を境界としてガラス板を分離する分離手段とを備えたガラス板の製造装置において、
前記分離手段は、ガラス板の幅方向両端部をその一端部側と他端部側とからそれぞれ別々に保持する支持手段を備えていることを特徴とするガラス板の製造装置。
【請求項７】
前記支持手段から受け渡されたガラス板を保持して前記ガラスリボンから離れた位置に搬出する搬送手段を更に有し、前記受け渡しが行われた直後に、前記搬送手段に保持されたガラス板の幅方向一端部側及び他端部側にそれぞれ存する経路に沿って前記支持手段が退避状態でガラス板を回避してガラスリボンに向かって移動可能となるように構成されていることを特徴とする請求項６に記載のガラス板の製造装置。
【請求項８】
前記支持手段は、ガラスリボンに向かって直進移動するように構成されていることを特徴とする請求項７に記載のガラス板の製造装置。
【請求項９】
前記支持手段または搬送手段は、ガラス板を反転移動させないように構成されていることを特徴とする請求項７または８に記載のガラス板の製造装置。
【請求項１０】
前記支持手段及び搬送手段は、ガラス板の有効面を除外した部位のみに接触するように構成されていることを特徴とする請求項７〜９の何れかに記載のガラス板の製造装置。
【発明の詳細な説明】
【技術分野】
【０００１】
本発明は、ガラス板の製造方法及びその装置に係り、詳しくは連続的に下降するガラスリボンから分離線を境界としてガラス板を分離する工程もしくは手段を有するガラス板の製造技術の改良に関する。
【背景技術】
【０００２】
近年、液晶ディスプレイ表示装置などの平面表示装置は、表示画面の大型化や価格引き下げを行って急速に普及が進んできている。そのため、平面表示装置に用いるガラス基板（ガラス板）を大型化して大きい表示パネルを形成することにより大型の表示画面を実現し、また大型化したガラス基板に複数の表示パネルを形成した後に切り離す製造工程を採用することにより大幅な製造コストの削減を図っている。
【０００３】
このような平面表示装置用のガラス基板を製造する手法としては、窓ガラス板を製造する場合と同様に溶融ガラスを水平方向に引き出して錫等の溶融金属浴上で成形するフロート法や、溶融ガラスを垂直方向上方に引き出して成形するアップドロー法、更には溶融ガラスを垂直方向下方に引き出して成形するダウンドロー法等が公知となっている。このようなガラス基板の製造方法の中では、高い寸法精度と共に表面の高い平滑性を実現可能なダウンドロー法に属するオーバーフロー法が注目されている。このオーバーフロー法は、溶融ガラスを長い桶形の成形用耐火物の両側から溢れさせて成形用耐火物の下端で再び溶着（合流）させ、ガラスリボンとして垂直方向に引き出すもので、表面張力で丸みををおびた両側を除く部位が高い寸法精度と共に高い表面平滑性を有しており、ガラスリボンから分離されたガラス板は表面を研磨することなく殆どの平面表示装置にガラス基板として使用されている。
【０００４】
ところで、成形用耐火物から連続的に引き出されて垂直方向下方に移動中のガラスリボンからガラス板を分離する場合には、特許文献１に開示されているように、ガラスリボンの移動と同期する移動式のスクライブ機により、ガラスリボンの一面側にアンビルを当接させ且つガラスリボンの他面側に分離線（スクライブ線）を刻設すると共に、この分離線で区画されたガラス板の分離領域にガラス板係合装置（支持手段）の真空カップ列を取り付け、ガラスリボンに曲げモーメントを作用させて分離線で折り割りすることにより、ガラスリボンからガラス板を分離させて取り出している。この場合、垂直方向下方に移動中のガラスリボンを基準として、その一方側には、真空カップ列を有するガラス板係合装置と、アンビルと、分離後に受け渡されたガラス板を搬出するガラス板搬送システムとが配設されているのに対して、その他方側には、スクライブ機が配設されている。
【０００５】
【特許文献１】特開２００２−１３７９３０号公報
【発明の開示】
【発明が解決しようとする課題】
【０００６】
しかしながら、上記特許文献１に開示の技術は、ガラス板を保持する支持手段が、フレームと、このフレームの両側に付設された真空カップ列とで構成されていることから、この支持手段によりガラス板が保持されている時は、ガラス板の中央部がフレームで覆われた状態となる。したがって、分離後のガラス板が支持手段からガラス板搬送システムに受け渡された後は、この支持手段が再びガラスリボンに対して接近移動しようとしても、その移動方向側はガラス板により真正面が遮蔽された状態となっている。このため、ガラス板搬送システムの動作によって、ガラス板が障害にならない位置まで移動した後でなければ、例えばガラス板が支持手段の周囲を迂回すべくその裏側まで旋回するなどして反転移動した後でなければ、支持手段はガラスリボンに対して接近移動できないという事態が生じる。これに起因して、支持手段が、ガラスリボンを保持してガラス板を分離してから、該ガラス板の受け渡しを経て、再びガラスリボンを保持するまでには、不当に長い時間を要することになる。
【０００７】
この場合、生産性の向上等を図るべく、ガラスリボンの成形速度つまりガラスリボンの下降速度を高めたならば、上記のように、ガラスリボンに対する支持手段の接近が遅れることに起因して、ガラスリボンに刻設された分離線が通過した後でなければ、支持手段がガラスリボンに到達できず、ガラスリボンに対する支持手段による保持が間に合わなくなるという問題が生じる。したがって、ガラスリボンの成形速度を高めるには不当な制約が生じ、生産性の向上等を図る上で大きな妨げとなる。また、このような問題に対処するには、異なる動作を行なう複数の支持手段を設置して、例えば一の支持手段がガラス板搬送システムにガラス板を受け渡す動作を行っている時に、他の支持手段がガラスリボンに対する分離動作を行うようにすればよいが、このような手法では、設備の大型化や複雑化を招くばかりでなく、設備費やメンテナンス費の高騰を招き、却って問題が大きくなる。
【０００８】
本発明は、上記事情に鑑みてなされたものであり、設備の複雑化を回避した上で、ガラスリボンからの分離時にガラス板を保持していた支持手段がその保持を解除した時点から、迅速にその支持手段がガラスリボンに向かって復帰移動できるようにし、ガラス成形速度の高速化ひいては生産性の向上を図ることを技術的課題とする。
【課題を解決するための手段】
【０００９】
上記技術的課題を解決するためになされた本発明に係る方法は、連続して下降するガラスリボンに分離線を刻設する刻設工程と、その後に前記ガラスリボンから前記分離線を境界としてガラス板を分離する分離工程とを含むガラス板の製造方法において、前記分離工程でガラス板を分離する際に、該ガラス板の幅方向両端部が、その一端部側と他端部側とに別々に配設された支持手段により保持されることを特徴とするものである。
【００１０】
ここで、上記の支持手段としては、一端部側と他端部側とのそれぞれの支持手段が、ガラス板の当該端部を表裏両側から挟んで挟持する一対の挟持部材を縦方向（垂直方向）の複数箇所に備えてなるもの、或いは、ガラス板の当該端部を表裏の何れか一方のみから吸着保持する負圧吸引パッドを縦方向の複数箇所に備えてなるもの等を挙げることができる。そして、これらの支持手段は、ガラス板を保持する保持位置と、その保持が解除された状態での退避位置とを取ることが好ましい。詳述すると、これらの支持手段は、ガラス板を保持する際には、ガラス板の当該端部の面と対面した状態となるのに対して、その保持が解除された場合には、ガラス板の当該端部からその外側（幅方向の外側または上下方向の外側）に退避した状態となるように構成されることが好ましい。なお、上記の「刻設工程」でガラスリボンに刻設される上記の「分離線」は、ガラスリボンの肉厚の例えば１／１０程度の深さを有し且つ直線上に沿って延びる線状の溝をいう。
【００１１】
このような方法によれば、ガラス板の分離工程において、ガラスリボンから分離されるべきガラス板の幅方向（左右方向）の両端部を保持する支持手段が、そのガラス板の幅方向の一端部側と他端部側とに別々に配設されているので、ガラス板を保持して分離した後にそれらの支持手段が所定の役割を終えて保持を解除した後においては、一端部側に配設されている支持手段はその一端部側で退避状態に移行できると共に、他端部側に配設されている支持手段はその他端部側で退避状態に移行することができる。これにより、支持手段が再びガラスリボンからガラス板を分離すべくガラスリボンに向かって復帰移動しようとした場合に、支持手段の移動方向側が、保持が解除されたガラス板によって遮蔽（移動妨害）されないようにすることができる。この結果、支持手段は、ガラス板によって邪魔されることなく迅速にガラスリボンに接近移動できることになり、これによってガラスリボンの下降速度つまり成形速度を高めて、生産性の向上を図ることが可能となる。
【００１２】
この場合、前記ガラス板の一端部側に配設される支持手段と、他端部側に配設される支持手段とは、それぞれの位置及び／または角度の個別調整が可能であることが好ましい。このようにすれば、ガラスリボンにそりが生じるなどして正規の平板形状でない場合であっても、各支持手段の位置や角度を個別に調整することにより、適切にガラスリボンを保持してガラス板の分離作業を円滑に行なうことが可能となる。
【００１３】
また、支持手段がガラス板を保持して折り割り等により分離をしている間は、分離線の刻設位置ズレや分離作業ミスの要因となる不要な応力を、連続して下降中のガラスリボンに生じないようにする上で、支持手段をガラスリボンの下降（移動）と同期または追従して下動させることが好ましい。
【００１４】
上記の方法において、分離工程でガラス板を分離した後に該ガラス板を前記支持手段から搬送手段に受け渡し且つ該搬送手段により保持させた状態で前記ガラスリボンから離れた位置に搬出する搬出工程を更に含み、該搬出工程において、前記受け渡しが行われた直後に、前記搬送手段に保持されたガラス板の幅方向一端部側及び他端部側にそれぞれ存する経路に沿って前記支持手段が退避状態でガラス板を回避してガラスリボンに向かって移動することが好ましい。
【００１５】
なお、上記の「経路」は、垂直姿勢の状態にあるガラス板の両端部側の縦方向中央部または縦方向上方部もしくは縦方向下方部に設けることができ、この「経路」が上記の縦方向中央部に存する場合には、退避状態にある支持手段は、ガラス板の幅方向の外側に存在するが、この「経路」が上記ガラス板の縦方向上方部及び縦方向下方部に存する場合には、退避状態にある支持手段は、ガラス板の幅方向の外側に存在するのみならず、それぞれガラス板の上方の外側及び下方の外側にも存在し得る。また、この「経路」は、ガラス板の受け渡し位置からガラスリボンに至る最短の経路であることが好ましく、更には一端部側の経路と他端部側の経路とが相互に平行に配設されていることが好ましい。
【００１６】
このようにすれば、分離後のガラス板が支持手段から搬送手段に受け渡された直後に、支持手段が退避位置に移行した状態でガラスリボンに向かって移動することになり、この支持手段がガラスリボンに向かって移動する際には、ガラス板が邪魔になることは有り得ない状態となる。すなわち、支持手段のガラスリボンに向かう移動方向は、従来のようにガラス板によって遮蔽されることがなくなり、これにより支持手段は即座にガラスリボンに向かって移動できるため、極めて短時間でガラスリボンの分離位置に到達できることになる。したがって、成形速度を高めることによってガラスリボンの下降速度が高速になっても、ガラスリボンに刻設される分離線が通過するまでの間に、支持手段がガラスリボンの分離位置に到達して、適切にガラス板の分離作業を行なうことが可能となる。そして、以上のような動作が行われている間に、搬送手段は、支持手段から受け渡されたガラス板を保持し状態で、ガラスリボンから離れた位置例えば後工程の処理位置に向かって搬出されていくことになる。
【００１７】
上記の方法において、搬出工程においては、前記支持手段がガラスリボンに向かって直進移動することが好ましい。
【００１８】
このようにすれば、ガラス板の受け渡し直後から支持手段がガラスリボンの分離位置に到達するまでの時間を可及的に短縮できるのみならず、支持手段をガラスリボンに向かって移動させるための移動機構の構成が簡素化され、ひいては製造設備の簡素化や設備費の削減等も図り得ることになる。
【００１９】
上記の方法において、搬出工程においては、前記支持手段または搬送手段がガラス板を反転移動させないことが好ましい。
【００２０】
このようにすれば、ガラス板を搬送手段に受け渡す前に支持手段を回転させたり、或いは搬送手段を支持手段の迂回のために旋回動させる必要がないことから、これによっても製造設備の簡素化や設備費の削減等が図られると共に、ガラス板は反転移動されずに当初の方向性を維持して移動することになるので、ガラス板の移動用のスペースを小さくでき、ひいては製造設備或いは製造工場のラインのコンパクト化を図ることが可能となる。
【００２１】
上記の方法において、分離工程及び搬出工程においては、前記支持手段及び搬送手段がガラス板の有効面を除外した部位のみに接触することが好ましい。
【００２２】
このようにすれば、支持手段及び搬送手段との接触に起因してガラス板の有効面（使用面）に微小な傷や汚れが付着するという不具合が確実に回避される。そして、このような利点は、表面の高い清浄度が要求される液晶ディスプレイ等の画像表示機器用の素板ガラスを分離及び搬出する場合に特に顕著に得ることができる。
【００２３】
また、上記技術的課題を解決するためになされた本発明に係る装置は、連続して下降するガラスリボンに分離線を刻設する刻設手段と、前記ガラスリボンから前記分離線を境界としてガラス板を分離する分離手段とを備えたガラス板の製造装置において、前記分離手段は、ガラス板の幅方向両端部をその一端部側と他端部側とからそれぞれ別々に保持する支持手段を備えていることを特徴とするものである。
【００２４】
このような構成を備えた製造装置によれば、ガラスリボンからガラス板を分離する分離手段が、その分離されるべきガラス板の幅方向の一端部側と他端部側とに別々に配設された支持手段を備えているので、それらの支持手段がガラス板を保持して分離した後に所定の役割を終えて保持を解除した後においては、一端部側及び他端部側でそれぞれ退避状態に移行できることになる。この結果、上記の方法に係る説明でこれに対応する構成について既に述べた事項と同様の作用効果を享受することができる。
【００２５】
上記の装置において、支持手段から受け渡されたガラス板を保持して前記ガラスリボンから離れた位置に搬出する搬送手段を更に有し、前記受け渡しが行われた直後に、前記搬送手段に保持されたガラス板の幅方向一端部側及び他端部側にそれぞれ存する経路に沿って前記支持手段が退避状態でガラス板を回避してガラスリボンに向かって移動可能となるように構成されていることが好ましい。
【００２６】
このようにすれば、分離後のガラス板が支持手段から搬送手段に受け渡された直後に、支持手段が退避位置に移行した状態でガラスリボンに向かって移動することになり、この支持手段がガラスリボンに向かって移動する際には、ガラス板が邪魔になることは有り得ない状態となる。この結果、上記の方法に係る説明でこれに対応する構成について既に述べた事項と同様の作用効果を享受することができる。
【００２７】
上記の装置において、支持手段は、ガラスリボンに向かって直進移動するように構成されていることが好ましい。
【００２８】
このようにすれば、ガラス板の受け渡し直後から支持手段がガラスリボンの分離位置に到達するまでの時間を可及的に短縮でき、更には支持手段をガラスリボンに向かって移動させるための移動機構の構成が簡素化されることから、上記の方法に係る説明でこれに対応する構成について既に述べた事項と同様の作用効果を享受することができる。
【００２９】
上記の装置において、支持手段または搬送手段は、ガラス板を反転移動させないように構成されていることが好ましい。
【００３０】
このようにすれば、ガラス板を搬送手段に受け渡す前に支持手段を回転させたり、或いは搬送手段を支持手段の迂回のために旋回動させる必要がなくなると共に、ガラス板を反転移動させることなく当初の方向性を維持して移動できることになる。この結果、上記の方法に係る説明でこれに対応する構成について既に述べた事項と同様の作用効果を享受することができる。
【００３１】
上記の装置において、支持手段及び搬送手段は、ガラス板の有効面を除外した部位のみに接触するように構成されていることが好ましい。
【００３２】
このようにすれば、支持手段及び搬送手段との接触に起因してガラス板の有効面（使用面）に微小な傷や汚れが付着するという不具合が確実に回避されることから、上記の方法に係る説明でこれに対応する構成について既に述べた事項と同様の作用効果を享受することができる。
【発明の効果】
【００３３】
以上のように本発明によれば、ガラス板を分離するに際して、ガラスリボンから分離されるべきガラス板の幅方向両端部を保持する支持手段が、そのガラス板の幅方向の一端部側と他端部側とに別々に配設されているので、ガラス板を保持して分離した後にそれらの支持手段が所定の役割を終えて保持を解除した後においては、一端部側に配設されている支持手段はその一端部側で退避状態に移行できると共に、他端部側に配設されている支持手段はその他端部側で退避状態に移行できる。これにより、支持手段が再びガラスリボンからガラス板を分離すべくガラスリボンに向かって復帰移動しようとした場合に、支持手段の移動方向側が、保持が解除されたガラス板によって遮蔽されないようにすることができる。この結果、支持手段は、ガラス板により邪魔されることなく迅速にガラスリボンに接近移動できることになり、これに伴ってガラスリボンの下降速度つまり成形速度を高めて、生産性の向上を図ることが可能となる。
【発明を実施するための最良の形態】
【００３４】
以下、本発明の実施形態を添付図面を参照して説明する。図１は、本発明の第１実施形態に係るガラス板の製造装置を示す要部斜視図、図２は、その製造装置の動作を示す要部横断平面図である。また、図３は、本発明の第２実施形態に係るガラス板の製造装置の動作を示す要部横断平面図、図４は、本発明の第３実施形態に係るガラス板の製造装置の動作を示す要部横断平面図、図５は、本発明の第４実施形態に係るガラス板の製造装置の動作を示す要部横断平面図である。
【００３５】
図１に示すように、本発明の第１実施形態に係る製造装置１は、図外の上方に配備され且つ例えばオーバーフロー法を実施すべく溶融ガラスを溢れ出させて流下させる桶形の成形用耐火物を有し、この成形用耐火物から流下した溶融ガラスは、徐々に固化することによって略垂直下方に連続状態で移動するガラスリボン２になると共に、このガラスリボン２の表面（同図における斜め手前側の面）には、予め設定された高さ位置で、刻設手段としてのスクライバ３により分離線（図示略）が刻設される構成である。更に、この製造装置１は、スクライバ３の下方に配置され且つガラスリボン２の下縁からの所定領域を前記分離線で折り割りしてガラス板２ａとして分離する分離手段４と、この分離手段４により分離されたガラス板２ａをガラスリボン２から離れた所定位置に搬送する搬送手段５とを備えてなる。
【００３６】
この場合、前記スクライバ３は、ガラスリボン２からガラス板２ａを折り割る際の支点となる支持部を有し、上下動可能の保持されると共に、その下動速度はガラスリボン２の下降速度と同一となり得るように構成され、この両者の速度が同一となっている時にガラスリボン２に分離線が刻設されるようになっている。
【００３７】
また、前記分離手段４は、ガラスリボン２の面と直交する方向に延びるように床面または基台６上に固定されたレール７に沿って前後動可能に保持されたスライダ８と、このスライダ８に位置及び／または角度等の調整が可能に保持され且つガラスリボン２ないしはガラス板２ａの幅方向（左右方向）の一端部側と他端部側とについてそれぞれ別々に配設された支持手段９を有している。
【００３８】
詳述すると、前記スライダ８は、レール７に係合する係合溝が形成された底壁部８ａと、この底壁部８ａの上部に幅方向に離隔して立設固定された一対の側壁部８ｂとを有している。そして、この一対の側壁部８ｂは、ガラスリボン２の幅方向寸法よりも長尺な幅方向間隙を介して配置されており、各側壁部８ｂのそれぞれの内側面８ｂａに上記の支持手段９が装備されている。なお、右端部側の支持手段９については、便宜上、図１には示していないが、この双方の端部側の支持手段９は、左右対称の構造とされている（図２参照）。
【００３９】
ここで、図２を参照しつつ図１に基づいて説明を加えると、支持手段９は、ガラスリボン２の下降に追従して下動可能で且つ復帰のために上動可能となるように側壁部８ｂの内側面８ｂａに保持された可動ブラケット９ａと、この可動ブラケット９ａの縦方向二箇所に配設され且つガラスリボン２（ガラス板２ａ）の非有効面を表裏両側から挟持可能な弾性体からなるパッド９ｂを有する計二対の挟持部材９ｃとを備えている。詳述すると、可動ブラケット９ａは、上下動が可能であるばかりでなく、ガラスリボン２の移動方向と平行な軸廻りに回動して角度変化が可能とされると共に、ガラスリボン２からガラス板２ａを分離する際に、ガラスリボン２の分離線が存在すべき位置を中心として図１（Ｂ）に矢印Ａで示す方向に（ガラスリボン２の面と直交する面内で）回動可能とされている。そして、この可動ブラケット９ａひいては支持手段９の上記の各動作は、左端部側と右端部側とで個別にその調整が可能となるように構成されている。また、図２に示すように、挟持部材９ｃは、基端部が可動ブラケット９ａに支軸９ｄを介して回動可能に保持されたアーム９ｅと、このアーム９ｅの先端に固定されたパッド９ｂとから構成され、一対のアーム９ｅが略平行になることにより一対のパッド９ｂが相接近してガラス板２ａを挟持する状態と、一対のアーム９ｅが一直線上に沿うことにより一対のパッド９ｂが相離反してガラス板２ａから退避する状態とを取るように構成されている。なお、この一対の挟持部材９ｃは、可動ブラケット９ａの縦方向三箇所以上に配設してもよい。
【００４０】
更に、前記搬送手段５は、図１（Ｃ）に示すように、床面または基台６に対して固定されて前後方向に延びる２本のレール７に沿ってスライド可能に保持され且つガラス板２ａの上端の幅方向二箇所を吊り下げ支持及びその支持の解除が可能な把持アーム７ａを備えている。そして、この把持アーム７ａは、受け渡し位置で既述の支持手段９から受け渡されたガラス板２ａを、受け渡し時の垂直姿勢を維持した状態でガラスリボン２から離れた所定位置まで搬出するように構成されている。この把持アーム７ａは、例えば、直動レール、ボールネジ、ステッピングモータ等によってスライド可能となるように構成されている。なお、ガラスリボン２は、幅方向寸法が例えば７００〜３０００ｍｍ、厚みが０．２５〜１．１０ｍｍであると共に、分離後のガラス板２ａは、上記寸法に加えて縦方向寸法が例えば７００〜３２００ｍｍであって、液晶ディスプレイ用ガラスパネルの素板ガラスの作製に使用されるものである。
【００４１】
次に、上記構成からなるガラス板の製造装置の作用、換言すればガラス板の製造方法を説明する。なお、図２（Ａ）、（Ｂ）、（Ｃ）、（Ｄ）に符号Ｐを付したラインは、図１（Ｃ）に符号Ｐを付したラインと同一の一定位置を表わしている。
【００４２】
先ず、図１（Ａ）に示すように、ガラスリボン２が連続して下降している間に、スクライバ３がこれに同期して下降しつつガラスリボン２の表面に分離線を刻設すると共に、分離手段４（支持手段９）の各挟持部材９ｃがガラスリボン２の分離線よりも下方を表裏両側から挟持してガラスリボン２の下降に追従して下動する。この場合、ガラスリボン２にそりが生じていても、左端部側と右端部側との挟持部材９ｃを、ガラスリボン２の移動方向と平行な軸廻りに個別に回動させて角度調整を行なうことにより、各挟持部材９ｃは、確実にガラスリボン２の幅方向両端部を挟持して保持することができる。そして、ガラスリボン２に対する分離線の刻設と挟持部材９ｃによる挟持とが完了した時点で、可動ブラケット９ａが挟持部材９ｃを図１（Ｂ）に矢印Ａで示す方向に回動させることにより、スクライバ３の支持部を支点としてガラスリボン２が分離線で折り割りされ、ガラスリボン２からガラス板２ａが分離される。
【００４３】
この後は、図１（Ｃ）に示すように、可動ブラケット９ａが挟持部材９ｃを復帰動させることによりガラス板２ａを垂直姿勢に保持した上で、スライダ８を後方（同図における斜め後方）に移動させることにより、ガラス板２ａも後方に移動させ、このような状態の下で、搬送手段５の把持アーム７ａによってガラス板２ａの上端を挟持する。これにより、図２（Ａ）から図２（Ｂ）に示す状態に移行し、このような状態から、図２（Ｃ）に示すように、各支持手段９の一対の挟持部材９ｃを開いて一直線上に沿う状態とすることにより、各支持手段９によるガラス板２ａの保持が解除されると共に、各支持手段９はガラス板２ａの幅方向における双方の端部の外側にそれぞれ退避した状態となる。
【００４４】
更に、このような状態から、スライダ８が前方（ガラスリボン２に接近する方向）に直進移動することにより、図２（Ｄ）に示すように、各支持手段９は、ガラス板２ａの幅方向の両端部と干渉することなくガラスリボン２に向かって接近移動する。すなわち、各支持手段９は、ガラス板２ａの幅方向の両端部側位置に存する経路に沿って、具体的にはスライダ８の側壁部８ｂの内側面８ｂａ部分が移動する最短の経路に沿って移動して、ガラスリボン２の幅方向の両端部側位置つまりガラス板２ａを分離する位置に到達する。この時点においては、スクライバ３は上端まで復帰した状態からガラスリボン２と同期して適度な位置まで下動しており、再びガラスリボン２に分離線が刻設されると共に、ガラスリボン２の分離線よりも下方部分が各支持手段９の挟持部材９ｃにより挟持される。そして、この後は、既に述べた手順と同様にして、ガラス板２ａの分離、搬送手段５への受け渡し、及び各支持手段９の復帰移動が行われる。なお、各支持手段９の復帰移動が行われている間に、搬送手段５の把持アーム７ａに受け渡されたガラス板２ａは、把持アーム７ａのレール７に沿う後方への移動によって、後工程での処理を行うための所定の位置に搬出される。
【００４５】
図３は、本発明の第２実施形態に係るガラス板の製造装置の動作を例示するものである。この第２実施形態に係る製造装置の動作が上述の第１実施形態と相違する点は、分離後のガラス板２ａを各支持手段９から搬送手段５に受け渡す際に、図３（Ａ）に示すように、一対の挟持部材９ｃのうちガラス板２ａの裏面（後方の面）側の挟持部材９ｃのみが９０度開き、その表面側の挟持部材９ｃは開かずにそのままの状態に維持される点である。この場合であっても、図３（Ｂ）に示すように、各支持手段９は、ガラス板２ａの両端部と干渉することなくガラスリボン２に向かって接近移動することができるが、ガラスリボン２の幅方向の両端部側位置に到達する手前で、ガラス板２ａの表面側の挟持部材９ｃを９０度開いておく必要がある。この第２実施形態に係る製造装置の構成及び上記以外の動作は、上述の第１実施形態と同様であるので、それらの説明を省略すると共に、図３においては、上述の第１実施形態と共通の構成要素について、同一符号を使用している。
【００４６】
図４は、本発明の第３実施形態に係るガラス板の製造装置の構成及び動作を例示するものである。この第３実施形態に係る製造装置の構成及び動作が上述の第１実施形態と相違する点は、図４（Ａ）、（Ｂ）に示すように、各支持手段９の一対の挟持部材９ｃが、ガラス板２ａの表裏面に対して平行に開閉するように可動ブラケット９ａに保持されている点と、図４（Ｃ）に示すように、一対の挟持部材９ｃが平行に開いた状態にある支持手段９を、ガラス板２ａの面に沿う方向に移動させることによって、支持手段９がガラス板２ａの端部の外側に退避した状態になる点とである。そして、この場合にも、図４（Ｄ）に示すように、各支持手段９は、ガラス板２ａの両端部と干渉することなくガラスリボン２に向かって接近移動できることになる。この第３実施形態に係る製造装置のその他の構成及びその他の動作は、上述の第１実施形態と同様であるので、それらの説明を省略すると共に、図４においては、上述の第１実施形態と共通の構成要素について、同一符号を使用している。
【００４７】
図５は、本発明の第４実施形態に係るガラス板の製造装置の構成及び動作を例示するものである。この第４実施形態に係る製造装置の構成及び動作が上述の第１実施形態と相違する点は、図５（Ａ）に示すように、支持手段９が、可動ブラケット９ａに支軸１９ｄを介して回動可能に保持されたアーム１９ｅの先端に、ガラス板２ａの裏面のみを吸着保持する負圧吸引パッド（真空パッドとも称す）１９ｂが装着されてなる吸着部材１９ｃを備えている点と、図５（Ｂ）に示すように、負圧吸引パッド１９ｂによる吸着保持が解除されて吸着部材１９ｃが裏側（後方）に向かって９０度開くことにより、支持手段９がガラス板２ａの端部の外側に退避した状態になる点とである。そして、この場合にも、図５（Ｃ）に示すように、各支持手段９は、ガラス板２ａの両端部と干渉することなくガラスリボン２に向かって接近移動できることになる。この第４実施形態に係る製造装置のその他の構成及びその他の動作は、上述の第１実施形態と同様であるので、それらの説明を省略すると共に、図５においては、上述の第１実施形態と共通の構成要素について、同一符号を使用している。
【産業上の利用可能性】
【００４８】
本発明に係るガラス板の製造方法及びその装置は、液晶ディスプレイ、プラズマディスプレイ、エレクトロルミネッセンスディスプレイ、フィールドエミッションディスプレイ等の各種画像表示機器用のガラスパネルの製作に用いられるガラス板や、各種電子表示機能素子や薄膜を形成するための基材として用いられるガラス板の製造工程で使用されるのが好適である。
【図面の簡単な説明】
【００４９】
【図１】図１（Ａ）、（Ｂ）、（Ｃ）は、それぞれ本発明の第１実施形態に係るガラス板の製造装置の全体構成及びその動作を示す概略斜視図である。
【図２】図２（Ａ）、（Ｂ）、（Ｃ）、（Ｄ）は、それぞれ本発明の第１実施形態に係るガラス板の製造装置の要部構成及びその動作を示す要部横断平面図である。
【図３】図３（Ａ）、（Ｂ）は、それぞれ本発明の第２実施形態に係るガラス板の製造装置の要部構成及びその動作を示す要部横断平面図である。
【図４】図４（Ａ）、（Ｂ）、（Ｃ）、（Ｄ）は、それぞれ本発明の第３実施形態に係るガラス板の製造装置の要部構成及びその動作を示す要部横断平面図である。
【図５】図５（Ａ）、（Ｂ）、（Ｃ）は、それぞれ本発明の第４実施形態に係るガラス板の製造装置の要部構成及びその動作を示す要部横断平面図である。
【符号の説明】
【００５０】
１  ガラス板の製造装置
２  ガラスリボン
２ａ  ガラス板
３  スクライバ（刻設手段）
４  分離手段
５  搬送手段
９  支持手段
【図１】
2005162604.tif 000003
【図２】
2005162604.tif 000004
【図３】
2005162604.tif 000005
【図４】
2005162604.tif 000006
【図５】
2005162604.tif 000007